(57)【要約】【課題】補強繊維シートを容易に取り扱うことができる木質材の補強構造を提供する。【解決手段】構造材として使用される木質材としての梁１に、木製の合板（板材）３に予め補強繊維シート４を接着してなる補強板２が接着されている。梁１には孔１ａが形成されており、補強板２には補強板孔５が形成されている。したがって、現場で補強繊維シート４に接着剤を塗布する必要がなく、また、補強繊維シート４が曲がったり絡んだりすることもない。よって、補強繊維シート４を容易に取り扱うことができる。また、孔１ａに配管等を容易に挿通できる。【選択図】図１
2008115663.tif 000002
【特許請求の範囲】
【請求項１】
構造材として使用される木質材に、木製の板材に予め補強繊維シートを接着してなる補強板が接着されていることを特徴とする木質材の補強構造。
【請求項２】
請求項１に記載の木質材の補強構造において、
前記補強繊維シートは、前記板材の前記木質材に当接する側と反対側の表面に接着されていることを特徴とする木質材の補強構造。
【請求項３】
請求項１または２に記載の木質材の補強構造において、
前記木質材に孔が形成されており、この孔の周囲の面に、前記補強板が接着されており、この補強板には、前記孔に開口する補強板孔が形成されていることを特徴とする木質材の補強構造。
【請求項４】
請求項３に記載の木質材の補強構造において、
前記補強板に形成された補強板孔は、前記木質材に形成された孔より若干大きいことを特徴とする木質材の補強構造。
【請求項５】
請求項３または４に記載の木質材の補強構造において、
前記木質材は、建物に設けられた木製梁を構成しており、前記孔は前記木製梁の、配管を通す部位に形成されていることを特徴とする木質材の補強構造。
【発明の詳細な説明】
【技術分野】
【０００１】
本発明は、構造材として使用される木質材を補強する木質材の補強構造に関する。
【背景技術】
【０００２】
従来、構造材として使用される梁等の木材の強度が不足する場合、その補強のための一手段として木材の表面に補強繊維シートを接着剤によって貼り付けて梁に一体化し補強することが行われている（例えば特許文献１参照）。
【特許文献１】特開２００３−２１３９４０号公報
【発明の開示】
【発明が解決しようとする課題】
【０００３】
ところで、住宅等のリフォームを行う場合、空調用や排気用の配管を増設したり、変更したりする場合がある。一般に、配管は天井裏等に敷設されているので、天井裏にある構造材である梁等の木材が配管敷設の邪魔になる場合がある。この場合、梁等の木材を迂回して配管を敷設することもあるが、木材に孔を明けて、この孔に配管を通した方が効率的に敷設できる場合が多い。
しかし、構造材として使用される梁等の木材に孔を明けると、その分強度が不足するおそれがあるので、木材を補強する必要が生じる。この補強ために、上述したように、補強繊維シートを木材に貼り付けることがあるが、補強繊維シートは、可撓性を有するとともに、木材に接着剤で貼り付ける際に、織られている繊維間から接着剤が滲み出すので、取り扱いが容易でない。例えば、梁は比較的高所に位置するため、可撓性を有する補強繊維シートに接着剤を付着したうえで、この補強繊維シートを梁の所定の部位（補強する部位）に、接着する場合、補強繊維シートが曲がったり絡み易く、また、補強繊維シートの一部どうしがくっ付き合ったりして、取り扱いが容易でない。
【０００４】
本発明は上記事情に鑑みてなされたもので、補強繊維シートを容易に取り扱うことができる木質材の補強構造を提供することを課題としている。
【課題を解決するための手段】
【０００５】
上記課題を解決するために、請求項１に記載の発明は、例えば図１〜図５に示すように、構造材として使用される木質材１に、木製の板材３に予め補強繊維シート４を接着してなる補強板２が接着されていることを特徴とする。
【０００６】
前記構造材としては、例えば、梁、柱、壁、床等が例示される。
前記木質材１としては、ムクの木材のほか、合板やＬＶＬ、さらには木質の構造用パネルが例示される。
また、補強繊維シートとしては、高強度繊維を一方向に配列したシート状のものや、あるいは高強度繊維にて織成したシート状のものを使用する。また、高強度繊維としては、アラミド繊維、炭素繊維、ガラス繊維、アルミナ繊維、ポリエチレン繊維、液晶ポリマー繊維などが例示される。
【０００７】
請求項１に記載の発明によれば、木製の板材３に予め補強繊維シート４を接着してなる補強板２が構造材として使用される木質材１に接着されているので、現場で補強繊維シート４に接着剤を塗布する必要がなく、また、補強繊維シート４が曲がったり絡んだりすることもない。よって、補強繊維シート４を容易に取り扱うことができる。
また、木質材１の補強を木製の板材３と補強繊維シート４との双方で行える。
【０００８】
請求項２に記載の発明は、請求項１に記載の木質材の補強構造において、
前記補強繊維シート４は、前記板材３の前記木質材１に当接する側と反対側の表面に接着されていることを特徴とする。
【０００９】
請求項２に記載の発明によれば、補強繊維シート４が板材３の木質材に当接する側と反対側の表面に接着されているので、木質材１に直接板材３を容易かつ確実に接着できる。
【００１０】
請求項３に記載の発明は、請求項１または２に記載の木質材の補強構造において、
前記木質材１に孔１ａが形成されており、この孔１ａの周囲の面に、前記補強板２が接着されており、この補強板２には、前記孔１ａに開口する補強板孔５が形成されていることを特徴とする。
【００１１】
ここで、前記木質材１に形成された孔１ａは、木質材１を貫通した孔であってもよいし、貫通しない底を有する孔であってもよい。
また、前記孔１ａ、補強板孔５は円形、四角形、多角形、楕円形等どのような形状の孔であってもよい。
【００１２】
請求項３に記載の発明によれば、補強板２に、木質材１に形成された孔１ａに開口する補強板孔５が形成されているので、木質材１に形成された孔１ａを覆うことなく、木質材１を補強できる。したがって、木質材１の孔１ａを、配管８等を挿通したりする場合に容易に利用できる。
【００１３】
請求項４に記載の発明は、請求項３に記載の木質材の補強構造において、
前記補強板２に形成された補強板孔５は、前記木質材１に形成された孔１ａより若干大きいことを特徴とする。
【００１４】
請求項４に記載の発明によれば、補強板２に形成された補強板孔５は、木質材１に形成された孔１ａより若干大きいので、孔１ａの一部を補強板孔周囲の補強板２の一部によって塞ぐことなく、孔１ａ全体を確実に開口できる。
また、孔１ａに配管８等を挿通する際に、配管８を補強板孔５に引っ掛けることなく、スムーズに挿通できる。
【００１５】
請求項５に記載の発明は、請求項３または４に記載の木質材の補強構造において、
前記木質材１は、建物に設けられた木製梁１を構成しており、前記孔１ａは前記木製梁１の、配管８を通す部位に形成されていることを特徴とする。
【００１６】
請求項５に記載の発明によれば、孔１ａは木製梁１の、配管８を通す部位に形成されており、この孔１ａの周囲の面に、該孔１ａに開口する補強板孔５が形成された補強板２が接着されているので、木製梁１の孔１ａに配管８等を挿通することができ、よって配管８を効率的に敷設できる。
【発明の効果】
【００１７】
本発明によれば、構造材として使用される木質材に、木製の板材に予め補強繊維シートを接着してなる補強板が接着されているので、現場で補強繊維シートに接着剤を塗布する必要がなく、また、補強繊維シートが曲がったり絡んだりすることもない。よって、補強繊維シートを容易に取り扱うことができる。
また、木質材の補強を木製の板材と補強繊維シートとの双方で行える。
【発明を実施するための最良の形態】
【００１８】
以下図面を参照して本発明の実施の形態について説明する。
図１は、本発明に係る木質材の補強構造の一例を示す要部の斜視図、図２は同断面図である。
図１および図２において、符号１は構造材として使用される木質材、符号２は木質材１に接着された補強板を示す。
木質材１は、例えば図５に示すような木製の梁１である。この梁１には、図４に示すように、配管などを挿通するための円状の孔１ａが形成されている。
補強板２は、矩形板状に形成された合板（板材）３と、この合板３の表面に接着された補強繊維シート４とによって構成されている。
【００１９】
合板３は、その上下方向の長さ（縦方向の長さ）は、梁１の梁成とほぼ等しくなっている。
補強繊維シート４は、例えばアラミド繊維を縦横に織ることによって形成された矩形のシート状のものであり、その大きさは、合板３の表面の大きさとほぼ等しくなっている。
そして、合板３の表面には、図３および図４に示すように、補強繊維シート４が接着剤によって貼り付けられることで、該合板３と一体化されている。なお、補強繊維シート４は予め工場等において合板３に貼り付けられるか、現場で合板３に貼り付けられる。また、一般的に補強繊維シートは可撓性を有するものであるので、ロール状に巻かれており、このロールから必要な長さだけ補強繊維シートを巻き出して、切断することによって、前記矩形シート状の補強繊維シート４を形成する。
【００２０】
上記のような構成の補強板２には、図４に示すように、円状の補強板孔５が形成されている。この補強板孔５は、図３に示すように、合板３に形成された円状の合板孔３ａと、補強繊維シート４に形成された円状のシート孔４ａとから構成されており、これら合板孔３ａとシート孔４ａとはほぼ同形・同大に形成され、同軸に配置されている。つまり、補強繊維シート４は、そのシート孔４ａを、合板孔３ａに合致させて、合板３の表面に接着されている。
そして、補強板２は梁（木質材）１の側面の、孔１ａの周囲の面に接着されており、この補強板２の補強板孔５は孔１ａとほぼ同軸になっており、この孔１ａに開口している。
また、前記補強板孔５は、図２に示すように、梁（木質材）１に形成された孔１ａより若干大きくなっている。つまり、補強板孔５の方が孔１ａより若干直径が大きくなっている。
【００２１】
上記のような構造の木質材（梁）の補強構造では、例えば、図５に示すように、梁（木質材）１は、壁７,７の上端部に架設され、この壁７,７に梁１の両端部が固定されている。梁１は天井（図示せず）裏に配置されている。
梁１の表面（側面）には、合板３と補強繊維シート４とで構成された補強板２が接着されている。そして、梁１に形成された孔１ａと、補強板４に形成された補強板孔５に、空調用等の配管８が挿通される。
なお、前記梁１はムクの木材や合板で形成されていてもよく、また、木質の構造用パネルで構成されていてもよい。構造用パネルとしては、例えば、木製の框材を矩形枠状に組立て、その内部に必要に応じて木製の補強桟材を縦横に組み付け、さらに、矩形枠の両面に合板等からなる面材を取り付けたものが挙げられる。
【００２２】
以上のように本実施の形態によれば、合板２に予め補強繊維シート４を接着してなる補強板２が構造材として使用される木製の梁１に接着されているので、現場で補強繊維シート４に接着剤を塗布する必要がなく、また、補強繊維シート４が曲がったり絡んだりすることもない。よって、補強繊維シート４を容易に取り扱うことができる。
また、梁１の補強を合板３と補強繊維シート４との双方で行える。
さらに、補強繊維シート４が合板３の梁１に当接する側と反対側の表面に接着されているので、梁１に直接合板３を容易かつ確実に接着できる。
【００２３】
また、補強板２に、梁１に形成された孔１ａに開口する補強板孔５が形成されているので、梁１に形成された孔１ａを覆うことなく、梁１を補強できる。したがって、梁１の孔１ａに配管８を容易に挿通できる。
加えて補強板２に形成された補強板孔５は、梁１に形成された孔１ａより若干大きいので、孔１ａの一部を補強板孔５周囲の補強板２の一部によって塞ぐことなく、孔１ａ全体を確実に開口できる。したがって、孔１ａに配管８を挿通する際に、配管８を補強板孔５に引っ掛けることなく、スムーズに挿通できる。
また、孔１ａは木製梁１の、配管８を通す部位に形成されており、この孔１ａの周囲の面に、前記孔１ａに開口する補強板孔５が形成された補強板２が接着されているので、木製梁１の孔１ａに配管８を挿通することができ、よって配管８を効率的に敷設できる。
【００２４】
なお、本実施の形態では、梁１の一方の側面（表面）に、補強板２を接着したが、両側面に補強板２,２を接着してもよい。
また、本実施の形態では、梁１に孔１ａを明けた場合の補強として補強板２を梁１の側面に接着したが、本発明はこれに限ることなく、梁１の一部を切り欠いたり、梁成を小さくした場合等、梁の強度不足が予測される場合に、合板と補強繊維シートとからなる補強板を梁の強度が不足する部分に接着すればよい。
【図面の簡単な説明】
【００２５】
【図１】本発明に係る木質材の補強構造の一例を示すもので、要部の斜視図である。
【図２】同、同断面図である。
【図３】同、補強板を示す分解斜視図である。
【図４】同、梁と補強板を示す斜視図である
【図５】同、梁に配管を挿通した状態を示す斜視図である。
【符号の説明】
【００２６】
１  梁（木質材）
１ａ  孔
２  補強板
３  合板（板材）
４  補強繊維シート
５  補強板孔
８  配管
【図１】
2008115663.tif 000003
【図２】
2008115663.tif 000004
【図３】
2008115663.tif 000005
【図４】
2008115663.tif 000006
【図５】
2008115663.tif 000007